(57)【要約】【課題】  釣竿を挿入しやすくして操作性を向上させるとともに、腰ベルトに対する支持の安定化を図る。【解決手段】  釣竿Ｓの後端部を保持する保持部１と、身体に装着される腰ベルトＢに止着され保持部１を支持する支持部１０とを備え、腰ベルトＢの身体への装着時に身体の腰の側部位置に位置させられるもので、保持部１を、釣竿Ｓの後端部が挿入され途中が腰ベルトＢの長手方向と交叉する交叉部Ｐを有するとともに底面を有した挿入孔４を備えた筒状に形成し、保持部１を、その挿入孔４の軸線が側部位置において身体の前側上向きに傾斜するように形成し、支持部１０を腰ベルトＢに沿う細長状に形成し、支持部１０の少なくとも長手方向両端部であって挿入孔４の交叉部の両側に腰ベルトＢに係止する係止部１３を有した止着手段１２を設けた構成としている。【選択図】図１
2018139509.tif 000002
【特許請求の範囲】
【請求項１】
釣竿の後端部を保持する保持部と、身体に装着される腰ベルトに止着され上記保持部を支持する支持部とを備え、上記腰ベルトの身体への装着時に身体の腰の側部位置に位置させられる釣竿保持具において、
上記保持部を、上記釣竿の後端部が挿入され途中が上記腰ベルトの長手方向と交叉する交叉部を有するとともに底面を有した挿入孔を備えた筒状に形成し、該保持部を、その挿入孔の軸線が上記側部位置において身体の前側上向きに傾斜するように形成し、
上記支持部を腰ベルトに沿う細長状に形成し、該支持部の少なくとも長手方向両端部であって上記挿入孔の交叉部の両側に該腰ベルトに係止する係止部を有した止着手段を設けたことを特徴とする釣竿保持具。
【請求項２】
上記支持部を、板材で形成するとともに身体の胴部に沿うように湾曲形成したことを特徴とする請求項１記載の釣竿保持具。
【請求項３】
上記腰ベルトの長手方向と上記挿通孔の軸線とのなす角度θを、３０°≦θ≦６０°にしたことを特徴とする請求項１または２記載の釣竿保持具。
【請求項４】
上記係止部の外端間の寸法Ｌを、１２０ｍｍ≦Ｌ≦２２０ｍｍにしたことを特徴とする請求項１乃至３何れかに記載の釣竿保持具。
【請求項５】
上記ベルトの上縁と、上記保持部の開口の下端との正面から見た上下方向の距離Ｈ１を、０≦Ｈ１≦３０ｍｍにし、上記ベルトの下縁と、上記保持部の底部の下端との正面から見た上下方向の距離Ｈ２を、１００ｍｍ≦Ｈ２≦１５０ｍｍにしたことを特徴とする請求項１乃至４何れかに記載の釣竿保持具。
【請求項６】
上記保持部に、上記挿入孔に連通する水抜き孔を形成したことを特徴とする請求項１乃至５何れかに記載の釣竿保持具。
【請求項７】
上記保持部と支持部とをプラスチックで一体形成したことを特徴とする請求項１乃至６何れかに記載の釣竿保持具。
【発明の詳細な説明】
【技術分野】
【０００１】
本発明は、例えば、鮎，岩魚などの渓流や川での釣の際、あるいは、湖や海等での釣の際、使用する釣竿を一時的に身体に保持しておくことのできる釣竿保持具に関する。
【背景技術】
【０００２】
一般に、釣竿を用いて釣を行なう場合、釣糸の先端に針やルアー等を付けたり、針に餌を付けたり、また、針に掛った魚を外したりする際には、釣竿を地面や船の甲板の上に置いた状態で行なっている。しかしながら、渓流釣，川釣や磯釣等の足場の悪い岩場等でこれらの作業を行う際には、岩場の石によりスペースが十分に取れずに釣竿を置く作業が煩雑になったり、釣竿を置いた際に釣竿を傷付けたり損傷したりすることがしばしばあり、また、一度釣った魚を逃がしてしまい易くもなり、そのため、作業に注意を払わなければならないことから、作業効率を損ねているという問題があった。
【０００３】
これを解決するために、これらの作業を行う際、身体に釣竿を保持できるようにした釣竿保持具が提案されている。従来、この種の釣竿保持具としては、例えば、特開２００４−１８７５３７号公報（特許文献１）に掲載されているものが知られている。
図７に示すように、この釣竿保持具Ｔａは、腰ベルト１００の内側に腰ベルト１００を上下に跨ぐ金属板からなる支持板１０１を設け、この支持板１０１の中間部表側に、細長状の皮革の上方部を折り曲げた折り曲げ部１０２をリベット１０３で止め、この折り曲げ部１０２に腰ベルト１００を引き通すようにし、皮革の下方部に釣竿Ｓの後端を受ける袋状の受け止め部１０４を設け、支持板１０１の垂直方向上方側に、釣竿Ｓの後端より上方側を保持するフック状の竿掛部１０５を設けて構成されている。
【０００４】
これにより、釣竿Ｓを用いて釣を行なう場合、釣糸の先端に針やルアー等を付けたり、針に餌を付けたり、また、針に掛った魚を外したりする際には、釣竿Ｓの後端を、フック状の竿掛部１０５に引き通すとともに、受け止め部１０４に入れて保持する。釣竿Ｓは、受け止め部１０４と竿掛部１０５の２箇所で支持されることから、身体に付帯し、両手を用いて所要の作業を行うことができるようになる。
【先行技術文献】
【特許文献】
【０００５】
【特許文献１】特開２００４−１８７５３７号公報
【発明の概要】
【発明が解決しようとする課題】
【０００６】
ところで、上記従来の釣竿保持具Ｔａにおいては、釣竿Ｓを身体に保持する際、釣竿Ｓの後端を、フック状の竿掛部１０５に引き通し、それから、受け止め部１０４に入れなければならないので、釣竿Ｓの挿入部が２つあることから、これを入れにくく、極めて操作性が悪いという問題があった。即ち、竿掛部１０５はフック状に形成されているので、釣竿Ｓの後端が挿入されても方向が定まらず、受け止め部１０４へ挿入しにくくなる。また、竿掛部１０５と受け止め部１０４とは垂直方向に並設されているので、釣竿Ｓを垂直に立ててから挿入しなければならないことから、この点でも、挿入しにくく、操作性が悪くなっている。
【０００７】
また、釣竿Ｓが受け止め部１０４と竿掛部１０５の２箇所で支持された状態では、釣竿Ｓが垂直状態を保持することはほとんどなく、傾こうとし、そのため、釣竿Ｓの後端部に作用するモーメント荷重により折り曲げ部１０が腰ベルトＢに対してねじられるが、この折り曲げ部１０は、細長状の皮革の上方部を折り曲げただけなので、ねじりに対しては弱くなっており、そのため、腰ベルトＢに対する支持が不安定になっているという問題があった。また、竿掛部１０５はフック状なので、釣竿Ｓに傷を付け易いという問題もある。
【０００８】
本発明は上記の問題点に鑑みて為されたもので、釣竿を挿入しやすくして操作性を向上させるとともに、腰ベルトに対する支持の安定化を図った釣竿保持具を提供することを目的とする。
【課題を解決するための手段】
【０００９】
上記の目的を達成するための本発明の釣竿保持具は、釣竿の後端部を保持する保持部と、身体に装着される腰ベルトに止着され上記保持部を支持する支持部とを備え、上記腰ベルトの身体への装着時に身体の腰の側部位置に位置させられる釣竿保持具において、
上記保持部を、上記釣竿の後端部が挿入され途中が上記腰ベルトの長手方向と交叉する交叉部を有するとともに底面を有した挿入孔を備えた筒状に形成し、該保持部を、その挿入孔の軸線が上記側部位置において身体の前側上向きに傾斜するように形成し、
上記支持部を腰ベルトに沿う細長状に形成し、該支持部の少なくとも長手方向両端部であって上記挿入孔の交叉部の両側に該腰ベルトに係止する係止部を有した止着手段を設けた構成としている。
【００１０】
これにより、釣竿を用いて釣を行なう場合、例えば、釣糸の先端に針やルアー等を付けたり、針に餌を付けたり、また、針に掛った魚を外したりする際には、釣竿の後端部を、保持部の挿入孔に差し込む。この場合、挿入孔は、傾斜形成されるとともに筒状に形成されているので、挿入孔の開口に釣竿の後端を合わせて入れるだけで挿入されることから、従来に比較して、極めて挿入し易く、操作性が大幅に向上させられる。
【００１１】
そして、この状態で、例えば、釣糸の先端に針やルアー等を付けたり、針に餌を付けたり、また、針に掛った魚を外したりする作業を行う。この場合、釣竿は保持部に保持されるので、両手が空くことから、作業を容易に行うことができる。また、釣竿が保持部に保持された状態では、釣竿の後端部に作用するモーメント荷重により支持部が腰ベルトに対してねじられようとするが、支持部は、腰ベルトに沿う細長状に形成され、止着手段は、支持部の長手方向両端部であって挿入孔の交叉部の両側に腰ベルトに係止する係止部を有しているので、ねじりに対する抵抗力が強く、そのため、腰ベルトに対する支持が安定し、作業を円滑に行うことができるようになる。
【００１２】
また、座ったり立ったりする際にも、釣竿が斜めになっているので、比較的容易に動作を行うことができる。特に、しゃがんだときや、岩などに腰掛けたときにも、保持部は傾斜しているので、地面や岩などに当たりにくくなっており、引っかかって支障をきたす事態を防止することができ、極めて使いやすいものになる。また、保持部は筒状なので、釣竿に傷を付けにくいという利点もある。
【００１３】
そして、この構成において、上記支持部を、板材で形成するとともに身体の胴部に沿うように湾曲形成したことが有効である。剛性が高くなるので、より一層ねじれに対して強くなり、安定度を増すことができる。特に、支持部は、身体の胴部に沿って湾曲形成されているので、身体の胴部に対するフィット性が極めて良く、身体に対する支持の安定性をより一層向上させることができる。
【００１４】
また、上記腰ベルトの長手方向と上記挿通孔の軸線とのなす角度θを、３０°≦θ≦６０°にしたことが有効である。望ましくは、４０°≦θ≦５０°である。
更に、上記係止部の外端間の寸法Ｌを、１２０ｍｍ≦Ｌ≦２２０ｍｍにしたことが有効である。これにより安定度を増すことができる。
【００１５】
更にまた、上記腰ベルトの上縁と、上記保持部の開口の下端との正面から見た上下方向の距離Ｈ１を、０≦Ｈ１≦３０ｍｍにし、上記腰ベルトの下縁と、上記保持部の底部の下端との正面から見た上下方向の距離Ｈ２を、１００ｍｍ≦Ｈ２≦１５０ｍｍにしたことが有効である。釣竿を入れ易くすることができるとともに、より一層ねじれに対して強くなり、安定度を増すことができる。この場合、保持部の挿入孔の内径Ｄを、３５ｍｍ≦Ｄ≦５５ｍｍ，望ましくは、４０ｍｍ≦Ｄ≦５０ｍｍにしたことが有効である。また、保持部の全長Ｘを、２００ｍｍ≦Ｘ≦３００ｍｍにしたことが有効である。釣竿とのクリアランスを適正にして、安定を図ることができる。
【００１６】
そしてまた、上記保持部に、上記挿入孔に連通する水抜き孔を形成したことが有効である。水を抜くことができる。
また、上記保持部と支持部とをプラスチックで一体形成したことが有効である。製造を容易にすることができる。
【発明の効果】
【００１７】
本発明によれば、保持部を傾斜形成するとともに筒状に形成したので、挿入孔の開口に釣竿の後端を合わせて入れるだけで釣竿を挿入することができ、従来に比較して、極めて挿入し易く、操作性を大幅に向上させることができる。そして、この状態で、釣糸の先端に針やルアー等を付けたり、針に餌を付けたり、また、針に掛った魚を外したりする作業を行う場合、釣竿は保持部に保持されるので、両手が空くことから、作業を容易に行うことができる。また、釣竿が保持部に保持された状態では、釣竿の後端部に作用するモーメント荷重により支持部が腰ベルトに対してねじられようとするが、支持部は、腰ベルトに沿う細長状に形成され、止着手段は、支持部の長手方向両端部であって挿入孔の交叉部の両側に腰ベルトに係止する係止部を有しているので、ねじりに対する抵抗力が強く、そのため、腰ベルトに対する支持が安定し、作業を円滑に行うことができるようになる。また、座ったり立ったりする際にも、釣竿が斜めになっているので、比較的容易に動作を行うことができる。特に、しゃがんだときや、岩などに腰掛けたときにも、保持部は傾斜しているので、地面や岩などに当たりにくくなっており、引っかかって支障をきたす事態を防止することができ、極めて使いやすいものになる。
【図面の簡単な説明】
【００１８】
【図１】本発明の実施の形態に係る釣竿保持具を示す正面斜視図である。
【図２】本発明の実施の形態に係る釣竿保持具を示し、（ａ）は正面斜視図、（ｂ）は側面斜視図、（ｃ）は平面図、（ｄ）は釣竿を装着するときの釣竿との関係を示す正面斜視図である。
【図３】本発明の実施の形態に係る釣竿保持具を示す正面断面図である。
【図４】本発明の実施の形態に係る釣竿保持具を示す図３中Ａ−Ａ線断面図である。
【図５】本発明の実施の形態に係る釣竿保持具の使用状態を示す図である。
【図６】本発明の実施の形態に係る釣竿保持具において、止着手段の別の例を示す図４相当断面図である。
【図７】従来の釣竿保持具の一例を示す斜視図である。
【発明を実施するための形態】
【００１９】
以下、添付図面に基づいて本発明の実施の形態に係る釣竿保持具について詳細に説明する。
図１乃至図５に示すように、実施の形態に係る釣竿保持具Ｔの基本的構成は、釣竿Ｓの後端部を保持する保持部１と、身体に装着される腰ベルトＢに止着され保持部１を支持する支持部１０とを備えてなり、腰ベルトＢの身体への装着時に身体の腰の側部位置に位置させられるものである。保持部１と支持部１０とは、プラスチックで一体形成されている。腰ベルトＢは適宜のものを用いることができる、その幅は、３０ｍｍ〜５０ｍｍ程度のものが望ましい。
【００２０】
保持部１は、釣竿Ｓの後端部が挿入され途中が腰ベルトＢの長手方向Ｒと交叉する交叉部Ｐを有するとともに底面２及び開口３を有した挿入孔４を備えた筒状に形成されている。また、保持部１は、その挿入孔４の軸線Ｑが、身体の腰の側部位置において、身体の前側上向きに傾斜するように形成されている。
【００２１】
詳しくは、保持部１において、挿入孔４の内径Ｄは、３５ｍｍ≦Ｄ≦５５ｍｍ，望ましくは、４０ｍｍ≦Ｄ≦５０ｍｍに設定されている。また、保持部１の全長Ｘは、２００ｍｍ≦Ｘ≦３００ｍｍに設定されている。更にまた、腰ベルトＢの長手方向Ｒと挿通孔４の軸線Ｑとのなす角度θを、３０°≦θ≦６０°に設定してある。望ましくは、４０°≦θ≦５０°である。また、腰ベルトＢの上縁Ｂａと、保持部１の開口３の下端３ａとの正面から見た上下方向の距離Ｈ１を、０≦Ｈ１≦３０ｍｍにし、腰ベルトＢの下縁Ｂｂと、保持部１の底部５の下端との正面から見た上下方向の距離Ｈ２を、１００ｍｍ≦Ｈ２≦１５０ｍｍにしている。
【００２２】
また、保持部１には、挿入孔４に連通する水抜き孔６が形成されている。水抜き孔６は、保持部１の底面２近傍に形成されているとともに、側面にも形成されている。側面の水抜き孔６は、基端が半円で先端先細りの細長形状に形成されており、所要間隔で複数配置されており、デザイン的にも面白く、外観品質が向上させられている。
【００２３】
支持部１０は、腰ベルトＢに沿う細長状の板材で形成されており、身体の胴部に沿うように湾曲形成されている。保持部１は、その開口３から途中までの上側部分が、支持部１０に対して一体に固着されている。上側部分の長さＹは、例えば、８０ｍｍ≦Ｙ≦１３０ｍｍに設定されている。保持部１の開口３側が固着される部分は、一般部に対して上方へ膨出した膨出部１１を形成している。
【００２４】
また、支持部１０の少なくとも長手方向Ｒの両端部であって挿入孔４の交叉部Ｐの両側（実施の形態では保持部１の両側）には、腰ベルトＢに係止する係止部１３を有した止着手段１２が設けられている。係止部１３は、腰ベルトＢが引き通される一対のスリット１４で構成され、係止部１３の外端間（長手方向Ｒの外側のスリット１４（ａ）とスリット１４（ｂ）との間）の寸法Ｌを、正面から見て、１２０ｍｍ≦Ｌ≦２２０ｍｍにしている。
【００２５】
従って、図５に示すように、実施の形態に係る釣竿保持具Ｔを身体に装着して、釣竿Ｓを用いて釣を行なう場合、例えば、釣糸の先端に針やルアー等を付けたり、針に餌を付けたり、また、針に掛った魚を外したりする際には、釣竿Ｓの後端部を、保持部１の挿入孔４に差し込む。この場合、挿入孔４は、傾斜形成されるとともに筒状に形成されているので、挿入孔４の開口３に釣竿Ｓの後端を合わせて入れるだけで挿入されることから、従来に比較して、極めて挿入し易く、操作性が大幅に向上させられる。
【００２６】
そして、この状態で、例えば、釣糸の先端に針やルアー等を付けたり、針に餌を付けたり、また、針に掛った魚を外したりする作業を行う。この場合、釣竿Ｓは保持部１に保持されるので、両手が空くことから、作業を容易に行うことができる。また、釣竿Ｓが保持部１に保持された状態では、釣竿Ｓの後端部に作用するモーメント荷重により支持部１０が腰ベルトＢに対してねじられようとするが、支持部１０は、腰ベルトＢに沿う細長状に形成され、止着手段１２は、支持部１０の長手方向Ｒの両端部であって挿入孔４の交叉部Ｐの両側に腰ベルトＢに係止する係止部１３を有しているので、ねじりに対する抵抗力が強く、そのため、腰ベルトＢに対する支持が安定し、作業を円滑に行うことができるようになる。
【００２７】
特に、腰ベルトＢの長手方向Ｒと挿通孔４の軸線Ｑとのなす角度θが、３０°≦θ≦６０°、望ましくは、４０°≦θ≦５０°に設定され、係止部１３の外端間の寸法Ｌが、１２０ｍｍ≦Ｌ≦２２０ｍｍに設定され、腰ベルトＢの上縁Ｂａと保持部１の開口３の下端３ａとの正面から見た上下方向の距離Ｈが、０≦Ｈ１≦３０ｍｍに設定され、腰ベルトＢの下縁Ｂｂと保持部１の底部５の下端５ａとの正面から見た上下方向の距離Ｈが１００ｍｍ≦Ｈ２≦１５０ｍｍに設定されているので、釣竿Ｓを入れ易くすることができるとともに、バランスが極めて良く、より一層ねじれに対して強くなり、安定度を増すことができる。
【００２８】
また、座ったり立ったりする際にも、釣竿Ｓが斜めになっているので、比較的容易に動作を行うことができる。特に、しゃがんだときや、岩などに腰掛けたときにも、保持部１は傾斜しているので、地面や岩などに当たりにくくなっており、引っかかって支障をきたす事態を防止することができ、極めて使いやすいものになる。また、保持部１は筒状なので、釣竿Ｓに傷を付けにくいという利点もある。
【００２９】
そしてまた、支持部１０が板材で形成されて身体の胴部に沿うように湾曲形成されているので、剛性が高くなり、より一層ねじれに対して強くなり、安定度を増すことができる。特に、支持部１０は、身体の胴部に沿って湾曲形成されているので、身体の胴部に対するフィット性が極めて良く、身体に対する支持の安定性をより一層向上させることができる。
【００３０】
尚、上記実施の形態において、止着手段１２の構成は上述したものに限定されるものではなく、例えば、図６に示すように、腰ベルトＢが引き通される筒状に形成するなど、適宜変更して差支えない。止着手段１２を筒状に形成した場合は、係止部は、筒状の開口両端部１３ａ，１３ｂになる。また、保持部１や支持部１０の形状や大きさは上述したものに限定されるものではなく、適宜変更して差支えない。即ち、本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００３１】
Ｔ  釣竿保持具
Ｓ  釣竿
Ｂ  腰ベルト
Ｂａ  上縁
Ｂｂ  下縁
１  保持部
Ｐ  交叉部
２  底面
３  開口
３ａ  下端
４  挿入孔
Ｑ  軸線
５  底部
５ａ  下端
６  水抜き孔
１０  支持部
１１  膨出部
１２  止着手段
１３  係止部
１４  スリット
【図１】
2018139509.tif 000003
【図２】
2018139509.tif 000004
【図３】
2018139509.tif 000005
【図４】
2018139509.tif 000006
【図５】
2018139509.tif 000007
【図６】
2018139509.tif 000008
【図７】
2018139509.tif 000009